(57)【特許請求の範囲】
【請求項１】
潤滑油を貯留するタンクと、上記タンクの上部に取り付けられるとともに、上記タンク内の潤滑油を汲み上げるポンプおよび給油配管系の圧力異常を検出するプレッシャースイッチを有するベースユニットと、ラインフィルタとを含み、上記ラインフィルタは、内部に円筒状のフィルタエレメントが収納されているフィルタハウジングと、上記フィルタハウジングの上部開口に取り付けられるキャップメンバーとを備え、上記キャップメンバーには、上記フィルタエレメントの外側に連通していて上記ポンプに接続される一次側ポートと、上記フィルタエレメントの内側に連通していて所定の給油箇所側に接続される二次側主ポートおよび上記プレッシャースイッチに接続される二次側副ポートとが形成されており、上記ポンプからの潤滑油が上記ラインフィルタを介して上記所定の給油箇所側に供給されるとともに、上記ラインフィルタの二次側圧力が上記プレッシャースイッチにて監視される潤滑油供給装置において、
上記ベースユニットは、その側壁面の複数箇所にフィルタ取付部を備え、上記各フィルタ取付部には、上記ポンプに連通される送油ポートと上記プレッシャースイッチに連通される返送ポートとが設けられており、
上記ラインフィルタは、上記キャップメンバーに上記フィルタ取付部に配管を介さずに直接的に取り付けられる接合壁を有し、上記接合壁に上記一次側ポートが上記送油ポートと対向し、かつ、上記二次側副ポートが上記返送ポートと対向するように配置されているとともに、上記接合壁以外の部分に上記二次側主ポートが配置されていることを特徴とする潤滑油供給装置。
【請求項２】
上記送油ポートおよび上記返送ポートには、蓋ネジもしくは継ぎ手が螺合される雌ネジがそれぞれ形成されている請求項１に記載の潤滑油供給装置。
【請求項３】
上記ラインフィルタの二次側には、圧力計が取り付けられる圧力計用ポートが設けられている請求項１または２に記載の潤滑油供給装置。
【請求項４】
内部に円筒状のフィルタエレメントが収納されているフィルタハウジングと、上記フィルタハウジングの上部開口に取り付けられるキャップメンバーとを備え、上記キャップメンバーには、上記フィルタエレメントの外側に連通していて潤滑油供給装置の給油ポンプに接続される一次側ポートと、上記フィルタエレメントの内側に連通していて所定の給油箇所側に接続される二次側主ポートおよび上記潤滑油供給装置のプレッシャースイッチに接続される二次側副ポートとが形成されている潤滑油供給装置用ラインフィルタにおいて、
上記キャップメンバーに上記潤滑油供給装置の所定部位に配管を介さずに直接的に取り付けられる接合壁を有し、上記接合壁に上記一次側ポートと上記二次側副ポートとが設けられており、上記接合壁以外の部分に上記二次側主ポートが配置されていることを特徴とする潤滑油供給装置用ラインフィルタ。
【発明の詳細な説明】
【０００１】
【発明の属する技術分野】
本発明は、潤滑油を所定の給油ポイントに供給する潤滑油供給装置およびそのラインフィルタに関し、さらに詳しく言えば、工作機械などに対する設置場所に応じてラインフィルタの取付位置を変更可能とした技術に関するものである。
【０００２】
【従来の技術】
工作機械などの機械装置において、給油ポイントが複数箇所にわたる場合、潤滑油供給装置により配管を介して各給油ポイントに潤滑油を供給するようにしている。その基本的な構成を図８の正面図および図９の一部側面図により説明すると、この種の潤滑油供給装置１は、潤滑油Ｌを貯留するタンク２と、タンク２の上部に取り付けられる蓋兼用のベースユニット３とを備えている。
【０００３】
ベースユニット３には、タンク２内の潤滑油Ｌを汲み上げるポンプ４と、給油ポイントに至る配管系（二次側）内の圧力異常を検出するプレッシャースイッチ５とが搭載されている。プレッシャースイッチ５は、ポンプ運転後の一定時間内に配管系内の圧力が所定値にまで達しない場合に、図示しない制御回路に異常信号を出力してアラームなどを動作させる。
【０００４】
異常原因の多くは、潤滑油Ｌ内に混入されている異物（ゴミ）である。この異物を除去するため、ラインフィルタ６が用いられているが、従来においては、このラインフィルタ６をブラケットＳを介してベースユニット３の脇に支持するようにしている。
【０００５】
そして、ベースユニット３に設けられている潤滑油の送油ポート３１とラインフィルタ６の一次側ポート６１とを外部配管７１を介して接続する。また、ラインフィルタ６の二次側ポート６２には、一端が給油ポイント側に接続される二次側主ポート６３１で、他端が二次側副ポート６３２とされたＴ字継ぎ手管６３を取り付け、その二次側副ポート６３２を外部配管７２を介してプレッシャースイッチ５の返送ポート３２に接続するようにしている。
【０００６】
この潤滑油供給装置１によれば、ポンプ４によって汲み上げられたタンク２内の潤滑油Ｌは、送油ポート３１から配管７１を介してラインフィルタ６内に導入され、図示しないフィルタエレメントによって濾過された後、二次側主ポート６３１から所定の供給ポイントに供給される。
【０００７】
ラインフィルタ６の２次圧側圧力は、プレッシャースイッチ５により監視され、フィルタエレメント目詰まり、ポンプの異常運転、配管漏れもしくは分配弁の誤作動などによって、その２次圧側圧力に異常が生じた場合には、ブザーの鳴動などによりアラームが発せられる。
【０００８】
【発明が解決しようとする課題】
しかしながら、上記従来例ではラインフィルタ６をベースユニット３に取り付ける際、ブラケットＳや外部配管７１，７２が必要となる。したがって、部品コストがかさむ上に、組立作業工数が多くかかるため、改善が望まれていた。
【０００９】
また、工作機械などの機械装置に設置する場合、その供給ポイントの位置や設置場所などによっては、ラインフィルタ６の取付位置の変更を要求される場合がある。例えば、図８の正面図において、ラインフィルタ６はベースユニット３の左側に設けられているが、給油ポイントが右側にある場合には、それに応じてラインフィルタ６の位置をベースユニット３の右側に変更する必要がある。そのような場合、上記従来例では、ブラケットＳを右用のものに取り替えるとともに、ラインフィルタ６の外部配管７１，７２を手直ししなければなららず、その分、時間と労力を要することになる。
【００１０】
【課題を解決するための手段】
本発明は、上述した課題を解決するためになされたもので、その目的は、ブラケットや外部配管を用いることなく、ラインフィルタをベースユニットに取り付けることができ、しかもその取付位置変更にも容易に対処することを可能とした潤滑油供給装置およびそのラインフィルタを提供することにある。
【００１１】
上述した目的を達成するため、本発明は、潤滑油を貯留するタンクと、上記タンクの上部に取り付けられるとともに、上記タンク内の潤滑油を汲み上げるポンプおよび給油配管系の圧力異常を検出するプレッシャースイッチを有するベースユニットと、ラインフィルタとを含み、上記ラインフィルタは、内部に円筒状のフィルタエレメントが収納されているフィルタハウジングと、上記フィルタハウジングの上部開口に取り付けられるキャップメンバーとを備え、上記キャップメンバーには、上記フィルタエレメントの外側に連通していて上記ポンプに接続される一次側ポートと、上記フィルタエレメントの内側に連通していて所定の給油箇所側に接続される二次側主ポートおよび上記プレッシャースイッチに接続される二次側副ポートとが形成されており、上記ポンプからの潤滑油が上記ラインフィルタを介して上記所定の給油箇所側に供給されるとともに、上記ラインフィルタの二次側圧力が上記プレッシャースイッチにて監視される潤滑油供給装置において、上記ベースユニットは、その側壁面の複数箇所にフィルタ取付部を備え、上記各フィルタ取付部には、上記ポンプに連通される送油ポートと上記プレッシャースイッチに連通される返送ポートとが設けられており、上記ラインフィルタは、上記キャップメンバーに上記フィルタ取付部に配管を介さずに直接的に取り付けられる接合壁を有し、上記接合壁に上記一次側ポートが上記送油ポートと対向し、かつ、上記二次側副ポートが上記返送ポートと対向するように配置されているとともに、上記接合壁以外の部分に上記二次側主ポートが配置されていることを特徴としている。
【００１２】
これによれば、ラインフィルタをその接合壁を介してベースユニットのフィルタ取付部に直接的に取り付けることができる。また、ベースユニットにフィルタ取付部が複数箇所に設けられているため、設置場所に応じて、ラインフィルタを好ましい位置に取り付けることが可能である。すなわち、ラインフィルタの取付位置を容易に変更することができる。また、ラインフィルタの二次側に、圧力計が取り付けられる圧力計用ポートを設けることもできる。
【００１３】
本発明において、フィルタ取付部の送油ポートおよび返送ポートには、蓋ネジもしくは継ぎ手が螺合される雌ネジがそれぞれ形成されていることが好ましく、これによれば、使わないフィルタ取付部の送油ポートおよび返送ポートを蓋ネジにて簡単に塞ぐことができる。また、ラインフィルタを用いない場合には、継ぎ手を介して配管系を送油ポートおよび返送ポートに接続することができる。
【００１４】
また、本発明はラインフィルタの構成にも特徴がある。すなわち、本発明は、内部に円筒状のフィルタエレメントが収納されているフィルタハウジングと、上記フィルタハウジングの上部開口に取り付けられるキャップメンバーとを備え、上記キャップメンバーには、上記フィルタエレメントの外側に連通していて潤滑油供給装置の給油ポンプに接続される一次側ポートと、上記フィルタエレメントの内側に連通していて所定の給油箇所側に接続される二次側主ポートおよび上記潤滑油供給装置のプレッシャースイッチに接続される二次側副ポートとが形成されている潤滑油供給装置用ラインフィルタにおいて、上記キャップメンバーに上記潤滑油供給装置の所定部位に配管を介さずに直接的に取り付けられる接合壁を有し、上記接合壁に上記一次側ポートと上記二次側副ポートとが設けられており、上記接合壁以外の部分に上記二次側主ポートが配置されていることを特徴としている。
【００１５】
【発明の実施の形態】
次に、図１の正面図、図２の平面図および図３の右側面図を参照しながら、本発明の実施例について説明する。
【００１６】
この潤滑油供給装置１０は、潤滑油Ｌを貯留するタンク２０と、タンク２０の上部に蓋状に取り付けられるベースユニット３０とを備えている。タンク２０は樹脂製、金属製のいずれであってもよく、その形状に特に限定はない。
【００１７】
この実施例において、ベースユニット３０は、アルミ合金などのキャスティング成形体よりなる。ベースユニット３０は、タンク２０の上部にネジ止めされる扁平なベース部３０１を備えている。ベース部３０１上には枠状に形成された電装部３０２が立設されており、また、ベース部３０１の側部には図示しない工作機械などに対する取付フランジ３０４，３０４が形成されている。なお、参照符号３０３は潤滑油注入口のキャップである。
【００１８】
電装部３０２内には、ポンプ装置４０とプレッシャースイッチ５０とが設けられている。図示されていないが、制御基板も電装部３０２内に収納されている。この実施例において、ポンプ装置４０には、モータ４０２により駆動されるギャポンプ４０１が用いられている。プレッシャースイッチ５０は公知のものであってよい。なお、電装部３０２には保護カバー３０７が被せられている。
【００１９】
ベースユニット３０にはフィルタ取付部ＦＢが設けられている。この実施例によると、フィルタ取付部ＦＢはベースユニット３０の図１において右側壁面と左側壁面の２箇所に設けられている。以下、右側のフィルタ取付部を第１フィルタ取付部ＦＢ１，左側のフィルタ取付部を第２フィルタ取付部ＦＢ２とする。
【００２０】
各フィルタ取付部ＦＢ１，ＦＢ２は同一構成でともに、内部配管を介してギャポンプ４０１と接続される送油ポート３０５と、同じく内部配管を介してプレッシャースイッチ５０に接続される返送ポート３０６とを備えている。なお、この送油ポート３０５および返送ポート３０６について、必要に応じて第１フィルタ取付部ＦＢ１側にはサフィックスａを付し、第２フィルタ取付部ＦＢ２側にはサフィックスｂを付す。
【００２１】
各フィルタ取付部ＦＢ１，ＦＢ２は、ほぼ垂直とされた平坦な端面を有し、送油ポート３０５および返送ポート３０６は、その端面に開口されている。送油ポート３０５および返送ポート３０６の配置間隔は、第１，第２フィルタ取付部ＦＢ１，ＦＢ２ともに同一であり、また、その配置も同一である。
【００２２】
すなわち、第１フィルタ取付部ＦＢ１側では、その右側面視において送油ポート３０５ａが右配置で返送ポート３０６ａが左配置となっており、また、第２フィルタ取付部ＦＢ２側においても、その左側面視において送油ポート３０５ｂが右配置で返送ポート３０６ｂが左配置となっている。なお、図示されていないが、送油ポート３０５および返送ポート３０６には、雌ネジが形成されている。
【００２３】
次に、図４の縦断面図およびそのＡ−Ａ断面図である図５を参照して上記ベースユニット３０に取り付けられるラインフィルタ６０の構成を説明する。このラインフィルタ６０は、内部に円筒状のフィルタエレメント６０２を内蔵するフィルタハウジング６０１と、フィルタハウジング６０１の上部開口に図示しないネジによって取り付けられるキャップメンバー６０３とを備えている。フィルタハウジング６０１とキャップメンバー６０３の間は、シールパッキンＰによって潤滑油Ｌの漏洩がないようにシールされている。
【００２４】
この実施例において、フィルタハウジング６０１内は、フィルタエレメント６０２の外側が一次側で、フィルタエレメント６０２の内側が二次側である。キャップメンバー６０３は、図５に示すように、フィルタエレメント６０２の外側に連通する一次側ポート６０４と、フィルタエレメント６０２の内側に連通する二次側副ポート６０５および二次側主ポート６０６の３つのポートを備えている。
【００２５】
この場合、キャップメンバー６０３には、上記ベースユニット３０側のフィルタ取付部ＦＢの端面と密に接触する接合壁ＣＷが形成されており、一次側ポート６０４と二次側副ポート６０５は接合壁ＣＷに設けられている。すなわち、ラインフィルタ６０をフィルタ取付部ＦＢに取り付けた際、一次側ポート６０４は送油ポート３０５と対向する位置に配置され、また、二次側副ポート６０５は返送ポート３０６と対向する位置に配置されている。接合壁ＣＷの両端には、このラインフィルタ６０をフィルタ取付部ＦＢにネジ止めする際のネジ挿通孔６０８，６０８が穿設されている。
【００２６】
この実施例において、二次側主ポート６０６は接合壁ＣＷとは反対側に配置されている。また、キャップメンバー６０３の上部には、圧力計７０を取り付けるための圧力計用ポート６０７が設けられている。圧力計７０は着脱可能であり、圧力計７０を取り付けない場合、圧力計用ポート６０７は図示しない蓋ネジで閉じられる。
【００２７】
この潤滑油供給装置１０によれば、図１および図２に示すように、ラインフィルタ６０をベースユニット３０の右側にある第１フィルタ取付部ＦＢ１に取り付けることもできるし、図６および図７に示すように、ラインフィルタ６０をベースユニット３０の左側にある第２フィルタ取付部ＦＢ２に取り付けることもできる。いずれの場合も、それらの間にパッキンを噛ませて、ラインフィルタ６０をフィルタ取付部ＦＢにネジ止めするだけでよく、ブラケットや外部配管は不要である。
【００２８】
すなわち、ラインフィルタ６０を第１フィルタ取付部ＦＢ１に取り付ける場合には、その一次側ポート６０４と送油ポート３０５ａとが接続され、二次側副ポート６０５と返送ポート３０６ａとが接続される。これに対して、ラインフィルタ６０を第１フィルタ取付部ＦＢ１に取り付ける場合には、一次側ポート６０４と送油ポート３０５ｂとが接続され、二次側副ポート６０５と返送ポート３０６ｂとが接続されることになる。
【００２９】
この潤滑油供給装置１０を運転するにあたって、ラインフィルタ６０が取り付けられた側のフィルタ取付部ＦＢの送油ポート３０５とギャポンプ４０１とが図示しない内部配管を介して接続され、同じく返送ポート３０６とプレッシャースイッチ５０とが内部配管を介して接続される。なお、他方のフィルタ取付部ＦＢの送油ポート３０５と返送ポート３０６は図示しない蓋ネジにより塞がれる。
【００３０】
ギャポンプ４０１により汲み上げられた潤滑油Ｌは、送油ポート３０５からラインフィルタ６０の一次側ポート６０４を経てフィルタハウジング６０１に導入され、フィルタエレメント６０２により濾過される。濾過された潤滑油Ｌは、二次側主ポート６０６から図示しない配管および分配弁などを介して所定の給油ポイントに供給される。
【００３１】
また、濾過された潤滑油Ｌの一部は二次側副ポート６０５から返送ポート３０６を介してプレッシャースイッチ５０に負荷として与えられる。これにより、プレッシャースイッチ５０は、その二次側圧力を監視し、例えばフィルタエレメントの目詰まり、配管の破損による油漏れ、ポンプ異常などにより一定時間内に圧力が所定値まで上昇しない場合、制御基板に異常検出信号を出力する。
【００３２】
なお、送油ポート３０５および返送ポート３０６には雌ネジが形成されているため、ラインフィルタ６０を使用しない場合には、継ぎ手を介して二次側の配管を送油ポート３０５および返送ポート３０６に接続することができる。
【００３３】
また、フィルタ取付部ＦＢは最も単純な態様として、単にベースユニット３０のいずれかの側壁に少なくとも１つ設ければよく、設ける位置としては、ベースユニット３０の左右両側に限られない。すなわち、フィルタ取付部ＦＢをベースユニット３０の前面壁に設けてもよく、さらにはフィルタ取付部ＦＢを３箇所としてもよい。
【００３４】
上記実施例では、片側のフィルタ取付部ＦＢにラインフィルタ６０を取り付けるようにしているが、場合によっては、両方のフィルタ取付部ＦＢにラインフィルタ６０を取り付けて使用することも可能である。
【００３５】
【発明の効果】
以上説明したように、本発明によれば、ベースユニット側に、ポンプに接続される送油ポートとプレッシャースイッチに接続される返送ポートを含むフィルタ取付部を複数箇所に設けるとともに、ラインフィルタ側に、上記フィルタ取付部に対する接合壁を形成し、その接合壁に一次側ポートと二次側副ポートとを上記送油ポートと上記返送ポートにそれぞれ対向するように配置したことにより、ブラケットや外部配管を用いることなく、ラインフィルタをベースユニットに直接的に取り付けることができ、しかもその取付位置変更にも容易に対処することができる。
【図面の簡単な説明】
【図１】本発明の一実施例に係る潤滑油供給装置の正面図。
【図２】上記実施例の潤滑油供給装置の平面図。
【図３】上記実施例の潤滑油供給装置の右側面図。
【図４】ラインフィルタの構造を示す部分断面図。
【図５】上記ラインフィルタのＡ−Ａ断面図。
【図６】潤滑油供給装置の左側壁面にラインフィルタを取り付けた状態を示す正面図。
【図７】潤滑油供給装置の左側壁面にラインフィルタを取り付けた状態を示す平面図。
【図８】従来の潤滑油供給装置を示す正面図。
【図９】従来の潤滑油供給層位置を示す部分左側面図。
【符号の説明】
１０  潤滑油供給装置
２０  タンク
３０  ベースユニット
３０１  ベース部
３０２  電装部
３０３  キャップ
３０４  取付フランジ
３０５ａ、３０５ｂ  送油ポート
３０６ａ、３０６ｂ  返送ポート
３０７  カバー
４０  ポンプ装置
４０１  ギャポンプ
５０  プレッシャースイッチ
６０  ラインフィルタ
６０１  フィルタハウジング
６０２  フィルタエレメント
６０３  キャップメンバー
６０４  一次側ポート
６０５  二次側副ポート
６０６  二次側主ポート
６０７  圧力計用ポート
７０  圧力計
Ｌ  潤滑油
Ｐ  シールパッキン
ＦＢ  フィルタ取付部
【図１】
0004783488.tif 000002
【図２】
0004783488.tif 000003
【図３】
0004783488.tif 000004
【図４】
0004783488.tif 000005
【図５】
0004783488.tif 000006
【図６】
0004783488.tif 000007
【図７】
0004783488.tif 000008
【図８】
0004783488.tif 000009
【図９】
0004783488.tif 000010